(57)【要約】【課題】天板をフラップ動作可能に家具本体に支持しているフラップ装置を有し、天板を起立位置にロックして効率よい収納が可能である家具が倒伏する際に、天板の一端のみが接地してフラップ装置が圧力を受け故障する不具合を解消する。【解決手段】左右に離間させて１対設けた少なくとも前後方向に伸びるベース３１と、このベース３１から起立させて設けた支柱３２とを具備し、さらに前記ベース３１が支柱３２との接合部位である支柱接合部位３１ｙよりも前方に伸びている家具本体たる脚３と、前記脚３に天板２をフラップ動作可能に支持させるフラップ装置１とを有する家具に、前記天板２を略水平をなす使用位置にロック可能であるとともに、該天板２を起立させた収納位置にもロック可能であり、天板２が接地する方向に倒伏する際に、天板２を収納位置にロックした状態を解除し、天板２ａ面の略全体が接地可能な状態に変化可能にしていることを特徴とするロック装置６を設けた。【選択図】図７
2004121637.tif 000002
【特許請求の範囲】
【請求項１】
左右に離間させて１対設けた少なくとも前後方向に伸びるベースと、このベースから起立させて設けた支柱とを具備し、さらに前記ベースが支柱との接合部位よりも前方に伸びている家具本体と、前記家具本体に天板をフラップ動作可能に支持させるフラップ装置とを有する家具に用いられるものであって、前記天板を略水平をなす使用位置にロック可能であるとともに、該天板を起立させた収納位置にもロック可能であり、天板が接地する方向に倒伏する際に、天板を収納位置にロックした状態を解除し、天板面の略全体が接地可能な状態に変化可能にしていることを特徴とする天板のロック装置。
【請求項２】
前記天板の天板面の略全体が接地する第３の固定位置に前記天板をロック可能であることを特徴とする請求項１記載の天板のロック装置。
【請求項３】
前記第３の固定位置が、前記天板の天板面と、前記ベースの前端とを略同一平面上に位置するものであることを特徴とする請求項２記載の天板のロック装置。
【請求項４】
前記フラップ装置が、前記支柱に固定して設けた固定ブラケットと、天板を支持し、前記固定ブラケットに回転可能に取り付けた天板ブラケットとを有する家具に用いられるものであって、前記天板ブラケットにロックアームをさらに設け、前記固定ブラケットに設けた被係合部に前記ロックアームに設けた係合部を係り合わせて天板をロックするようにしていることを特徴とする請求項１、２又は３記載の天板のロック装置。
【請求項５】
前記ロックアームが、その一端を天板ブラケットに支軸を介して回転可能に取り付けられているとともに、他端部から前記支軸を中心とする円の円周方向に係合部たる突出部を突出させて設け、さらに前記突出部の突出した先端部に前記被係合部に係合する係合面を有する突出爪を前記円周方向に突出させて設けて、この突出爪と前記被係合部とを係合させて天板を収納位置にロックするようにしていることを特徴とする請求項４記載の天板のロック装置。
【請求項６】
前記ロックアームに設けた係合部を、前記固定ブラケットに設けた被係合部に向けて押さえ込む作用を有する付勢手段を設けていることを特徴とする請求項４又は５記載の天板のロック装置。
【請求項７】
前記請求項１、２、３、４、５又は６記載の天板のロック装置を用いていることを特徴とする家具。
【発明の詳細な説明】
【０００１】
【発明の属する技術分野】
本発明は、会議テーブル等のフラップ天板に好適に用いられる天板のロック装置、及びこのロック装置を用いた家具に関する。
【０００２】
【従来の技術】
従来、会議テーブルには、収納時に有効なスタックピッチで相互に重合状態で収納しておき必要に応じて展開できるように、天板を左右１対に離間して設けた支柱にフラップ動作可能に支持しているものが少なくない。その際、使用状態及び収納状態を良好なものにするために、天板を略水平な使用位置と起立した収納位置とに選択的にロックするロック装置を付帯して設けているのが通例である。一方、前記支柱は、前後方向に伸びるベースから起立して設けられているものが多く、前記ベースは、支柱との接合部位よりも前方に伸びているものが多い。（例えば、特許文献１参照。）
【０００３】
【特許文献１】
特開平１０−１７９２６７号公報（第２−５頁、第１図）
【０００４】
【発明が解決しようとする課題】
ところが、このように構成した家具は、天板を収納位置にロックした状態では、重心が支柱より前方に位置することになる。従って、運搬の際に前方に倒伏することがあり得る。そして、このような家具が前方に倒伏すると、収納位置における天板の上端及びベースの前端のみが接地する。そして、家具の自重を、収納位置における天板の上端及びベースの前端のみで支持するので、天板をフラップ運動可能に支持するフラップ装置が圧力を受け、このフラップ装置が故障する不具合が起こり得る
本発明は、以上に述べた課題を解決し、このような家具を効率よく収納できるとともに、前方に倒伏する際に故障が起こりにくくすべく構成するものである。
【０００５】
【課題を解決するための手段】
すなわち本発明に係る天板のロック装置は、左右に離間させて１対設けた少なくとも前後方向に伸びるベースと、このベースから起立させて設けた支柱とを具備し、さらに前記ベースが支柱との接合部位よりも前方に伸びている家具本体と、前記家具本体に天板をフラップ動作可能に支持させるフラップ装置とを有する家具に用いられるものであって、前記天板を略水平をなす使用位置にロック可能であるとともに、該天板を起立させた収納位置にもロック可能であり、天板が接地する方向に倒伏する際に、天板を収納位置にロックした状態を解除し、天板面の略全体が接地可能な状態に変化可能にしていることを特徴とする。
【０００６】
このようなものであれば、収納位置においては天板を起立させて家具を効率よく収納できるとともに、天板が接地する方向に家具が倒伏する際には、天板面の略全体が接地するので、家具の自重を天板全体で吸収するようにできるようになる。従って家具の自重を天板の上端及びベースの前端のみが受ける従来のものと比較して、倒伏した姿勢においてフラップ装置が天板を介して受ける圧力を軽減でき、このフラップ装置が故障する不具合を起こりにくくできるようになる。すなわち、収納の際の効率と、倒伏した際の故障防止とを両立できる。
【０００７】
特に、前記天板の天板面の略全体が接地する第３の固定位置に前記天板をロック可能であるものであれば、家具が倒伏する際に天板が収納位置にロックされた状態が解除されても前記天板が前記第３の固定位置にロックされるように構成でき、家具が倒伏する際に天板の下端のみが接地してフラップ機構が衝撃を受ける事態も防ぐことができるようになる。
【０００８】
さらに、前記第３の固定位置が、前記天板の天板面と、前記ベースの前端とを略同一平面上に位置するものであれば、家具が倒伏した状態で、前記天板の天板面の他に前記ベースの前端によっても家具の自重を支持するので、前記フラップ装置の故障をより起こりにくくできるようになる。
【０００９】
このような天板のロック装置の具体的な態様として、前記フラップ装置が、前記支柱に固定して設けた固定ブラケットと、天板を支持し、前記固定ブラケットに回転可能に取り付けた天板ブラケットとを有する家具に用いられるものであって、前記天板ブラケットにロックアームをさらに設け、前記固定ブラケットに設けた被係合部に前記ロックアームに設けた係合部を係り合わせて天板をロックするようにしているものが挙げられる。
【００１０】
特に、前記ロックアームが、その一端を天板ブラケットに支軸を介して回転可能に取り付けられているとともに、他端部から前記支軸を中心とする円の円周方向に突出部を突出させて設け、さらに前記突出部の突出した先端部に前記被係合部に係合する係合面を有する突出爪を前記円周方向に突出させて設け、この突出爪と前記被係合部とを係合させて天板を収納位置にロックするようにしているものであれば、家具が倒伏して天板の一部が接地する際の衝撃により、前記突出爪と前記被係合部との係合が解除されるようにできるので、家具が倒伏して天板の一部が接地する際に天板を収納位置にロックした状態を解除するようにできる。
【００１１】
さらに、天板を収納位置にロックした状態で、家具が倒伏した際の天板の一部が接地する際の衝撃によりロックを解除できるようにした上で、天板を通常の大人が押した際等、比較的軽微な作用が加わった際に誤ってロックが解除されないようにするには、前段で述べたロック装置に、さらに、前記ロックアームに設けた係合部を、前記固定ブラケットに設けた被係合部に向けて押さえ込む作用を有する付勢手段を設けるようにすればよい。この付勢手段の作用の強さを調整することにより、家具が倒伏した際の天板の一部が接地する際の衝撃より小さな作用によってはロックが解除されないようにできるからである。
【００１２】
【発明の実施の形態】
以下、本発明の一実施形態を、図面を参照して説明する。
【００１３】
本実施形態に係るロック装置６は、斜視図を図１に示すような会議テーブルを構成する天板２に適用されるものである。この天板２は、テーブル本体たる脚３との間に介設したフラップ装置１によって前記図１の一点鎖線に示す略水平な使用位置と前記図１の二点鎖線に示す略鉛直な収納位置との間でフラップ装置１を介してフラップ動作可能に支持されてなるものである。前記天板２を使用位置に位置させた状態の側面図を図２、前記天板２を収納位置に位置させた状態の側面図を図３にそれぞれ示す。
【００１４】
脚３は、図１〜図３に示すように、前後に伸びるベース３１と、このベース３１の中央付近に立設された支柱３２とを具備してなるもので、ベース３１の前後両端部下面に取着したキャスタ３３を介して床面に滑動自在に支持されている。すなわち、ベース３１は、前記支柱３２との接合部位である支柱接合部位３１ｙよりも前方に伸びている。なお、ベース３１の前後両端部とは、ベース３１の前端３１ｘ及び後端だけでなく、その近傍をも含む概念である。
【００１５】
フラップ装置１は、左右の脚３にそれぞれ付帯して設けられるもので、縦断面図を図４、図４におけるＩＶ−ＩＶ線拡大断面図を図５、図４におけるＶ−Ｖ線拡大断面図を図６にそれぞれ示すように、天板ブラケット４と、固定ブラケット５とを具備している。
【００１６】
天板ブラケット４は、前記図４〜図６に示すように、比較的厚肉な鋼板に折曲げ加工を施して頂板４１、外側壁４２及び内側壁４３からなる下向コの字型のものに成型されたもので、両側壁４２、４３間に形成される中空部４４は少なくとも下端側及び後端側に開口している。そして、頂板４１の上面が天板２を添設、支持するための天板支持面４１ａとして設定されている。
【００１７】
固定ブラケット５は、アルミダイキャスト製のもので、前記図４〜図６に示すように、基端５１を前記支柱３２の内面３２ａにボルト等により固定され、上端５２をその支柱３２の内側上方に屈曲部５３を介して突出させて設けている。そして、この固定ブラケット５の上端５２を前記天板ブラケット４の中空部４４内に位置させるべく、天板ブラケット４を固定ブラケット５に被嵌し、両ブラケット４、５の対応部位に設けた孔４ａ、５ａに支軸７ａを挿通して、その支軸７ａを支点にして天板ブラケット４を固定ブラケット５に回転可能に支持している。この固定ブラケット５の上端面に設定した支持受け部５２ａは、天板ブラケット４の天板支持面４１ａが図３に示す水平状態にあるときに、該天板ブラケット４の頂板４１下面の当接面４１ｂに衝き当て得る位置に設定してあり、また、固定ブラケット５の上端５２側の前縁に形成した支持受け部５２ｂは、天板ブラケット４の天板支持面４１ａが図８に示す起立状態にあるときに該天板ブラケット４の頂板４１下面の当接面４１ｂを衝き当て得る位置に設定してある。
【００１８】
このような家具の天板２を収納位置に位置させた状態では、図３に示すように、天板２の下端２ｙは、天板２の上端２ｘとベース３１の前端３１ｘとを結ぶ線Ｌよりも後方に位置する。
【００１９】
しかして本実施形態では、使用位置又は収納位置にある天板２をその位置に選択的にロック可能であるとともに、天板２が接地する方向、すなわち前方に倒伏する際に、天板２を収納位置にロックした状態を解除し、天板面２ａの略全体が接地可能な状態に変化可能にしているロック装置６を備えている。このロック装置６はさらに、家具が前方に倒伏した状態で前記天板２の天板面２ａの略全体が床面Ｆに接地する図７に示すような第３の固定位置にも前記天板２をロック可能である。なお、本実施形態では、前記第３の固定位置においては、図７に示すように、天板面２ａの略全体が接地しているとともに、ベース３１の前端３１ｘも接地している。
【００２０】
前記ロック装置６は、前記図４〜図６に示すように、両ブラケット４、５間に介設されたもので、ロックアーム６１と、第１の被係合部６２と、第２の被係合部６３と、第２の被係合部６４と、操作レバー６５と、伝達機構６０とを具備してなるものである。
【００２１】
ロックアーム６１は、部分錨状のもので、上端に形成した異形孔６ｂに同様の形状をなす支軸７ｂを挿通して天板ブラケット４の両側壁４２、４３に設けた孔４ｂに支持させることによって回転可能に取り付けられ、かつ下端に前記支軸７ｂの中心を支点とする部分円弧状の係合部たる突出部６１ａを固定ブラケット５に向けて延ばして設けている。さらに、この突出部６１ａを延ばした先端部に、略前記支軸７ｂの中心と逆に向かう方向を向く係合面６１ｘを有するとともに、前記部分円弧の円周方向にさらに突出する係合爪６１１を設けている。
【００２２】
第１の被係合部６２は、前記固定ブラケット５の上端５２側の前縁に形成された切欠状のもので、前述した天板ブラケット４の天板支持面４１ａが図３に示す水平状態にあり且つ前記ロックアーム６１を支軸７ｂを支点にして回動させたときにその係合爪６１１の先端の描く軌跡に沿う形状をなしている。
【００２３】
第２の被係合部６３は、前記固定ブラケット５の支持受け部５２ａ付近に上方に突出して形成されたもので、天板ブラケット４の天板支持面４１ａが図８に示す起立状態にあり且つ前記ロックアーム６１を支軸７ｂを支点にして僅かに回動させたときに、前端面が前記ロックアーム６１の係合面６１ｘと衝き当たる位置に設けてある。
【００２４】
第３の被係合部６４は、前記固定ブラケット５の支持受け部５２ａの前端面を用いて構成しているもので、天板２を収納位置から使用位置へ回転させるような作用が加わるときに、前記ロックアーム６１の係合面６１ｘがこの第３の被係合部６４に衝き当たり得るように構成している。
【００２５】
操作レバー６５は、基端に設けた凹所６４ａに支軸７ｃを挿通して前記天板ブラケット４の両側壁４２、４３に回動可能に枢着され、先端を前記ロック爪６１に向けて延出させてなるもので、下縁に指掛け部６５ｃが設けられている。
【００２６】
伝達機構６０は、操作レバー６５に先端が開口した長溝６５ｂを設けるとともに、前記ロックアーム６１の突出部６１ａと反対方向に伝達アーム６１ｂを延設してピン６１ｃを保持させ、このピン６１ｃを前記長溝６５ｂにスライド可能に係合させたものである。すなわち、この伝達機構６０は、長溝６５ｂに沿ってピン６１ｃを移動させながら該ピン６１ｃとの係合状態を保って支軸７ｃ回りに操作レバー６５を回転させ、これにより該操作レバー６５に加えられる操作を前記ロックアーム６１の回転動作に変換するものである。その際、操作レバー６５の支軸７ｃの中心から前記ピン６１ｃとの係合点までの距離Ｌ１（図４参照）は、ロック爪６１の支軸７ｂの中心からピン６１ｃまでの距離Ｌ２よりも大きく設定してあり、前者の操作角度θ１（図８参照）が増幅されて後者の回転角度θ２に現れるように設定している。
【００２７】
また、このロック装置６は、操作レバー６５と天板ブラケット４の頂板４１の下面との間に本発明の付勢手段たる圧縮コイルバネ６６を設け、この圧縮コイルバネ６６の弾性力によって操作レバー６５を突出方向に作用させている。すなわち、操作レバー６５は、外力が加わらないときは圧縮コイルバネ６６の弾性力がロックアーム６１の突出部６１ａを固定ブラケット５に設けた被係合部６２、６３、６４に向けて押さえ込む方向に作用し、指掛け部６５ｃを介して圧縮コイルバネ６６を圧縮する方向の操作力が加えられたときはロックアーム６１にそれらの被係合部６２、６３、６４から退避する方向の動作を付与し得るようになっている。
【００２８】
なお、左右のロック装置６を構成するロックアーム６１の異形孔６ｂに挿通される支軸７ｂは、中央に配置した図示しない共通の連結パイプの対応する端部にそれぞれ固定して設けてあり、この連結パイプを介して左右のロックアーム６１が同期回動可能に連結されている。すなわち、左右何れのロック装置６に付帯する操作レバー６５を操作しても、両ロック装置６を同時に解除することができるようになっている。また、天板ブラケット４の内側壁４３間には天板３と一体に回転運動する図示しない棚板が架設してある。
【００２９】
次に、本実施形態の作動を説明する。天板２が図１、図２、及び図４に示す使用位置にあり、ロック装置６を構成するロックアーム６１の突出部６１ａが固定ブラケット５の第１の被係合部６２に係合している状態では、天板ブラケット４は支軸７ａ回りの回動を禁止され、天板２は天板ブラケット４の当接面４１ｂ、固定ブラケット５の支持受け部５２ａを介して脚３に安定的に保持される。一方、この位置から操作レバー６４の指掛け部６４ｃに指を掛けて該操作レバー６４が天板ブラケット４の中空部４４内に没入する方向へ操作すると、図８に示すように伝達機構６０を介しロックアーム６１が反時計回りに回転してその突出部６１ａが係合部６２から離脱する。このため、天板ブラケット４のロック状態が解除され、図９に示すように支軸７ａ回りの回動動作を惹起することとなる。更に天板ブラケット４の回転を続けると、ロックアーム６１の突出部６１ａの先端に位置する係合爪６１１が第２の被係合部６３を通り越して天板２が所定の収納位置に達したときに、図１０に示すように天板２のロックアーム６１が圧縮コイルバネ６５の作用で固定ブラケット５に当たり、その係合面６１ｘが前記第２の被係合部６３に衝き当たって、天板ブラケット４をその位置に仮保持する。この状態においても前記と同様に操作レバー６４を僅かに操作しない限り、ロックアーム６１の係合面６１ｘを第２の被係合部６３に衝き当てた状態が解除されることがなく、天板ブラケット４の支軸７ａ回りの天板２を後傾させる方向への回転動作が禁止される。そして、天板ブラケット４の当接面４１ｂは固定ブラケット５のもう１つの支持受け部５２ｂに衝き当たり、それ以上天板２を前傾させる方向への回転動作も禁止される。したがって、相隣接する会議テーブルの一方の起立した天板２の天板面２ａに他方の起立した天板２の天板面２ａと反対側の面を密接に近付けてスタッキングすることが可能となる。更に、この位置から天板２を再び使用位置にまで回動するには、操作レバー６４を操作してロック装置６のロックアーム６１を前記第２の被係合部６３から解離させ、しかる後に天板２を回転させればよく、ロックアーム６１が図９、図８に示す状態を経て図４に示す使用位置において圧縮コイルバネ６５の作用で再び第１の被係合部６２に落ち込むと同時に、天板２が使用位置でロック状態下に安定的に保持される。
【００３０】
この家具が前方に倒伏する際の作用を以下に示す。まず、天板の上端が接地して、その衝撃によりロックアーム６１の係合面６１ｘが第２の被係合部６３に衝き当たった状態が解除され、天板２が回転可能になる。次いで、天板２の自重により、天板面２ａ全体が接地する。ここで、天板面２ａ全体が接地した状態における天板ブラケット４付近の図４に対応する拡大図を図１１に示す。そして、ロックアーム６１の係合面６１ｘが第３の被係合部６４に衝き当たることによりロックアームと第３の被係合部６４とが係合した状態になり、天板２を第３の固定位置にロックした状態、すなわち前記図７及び前記図１１に示す状態に変化する。このとき、天板面２ａ全体とベースの前端３１ｘとが接地しているので、家具が倒伏した状態では、家具の自重は天板面２ａ全体とベースの前端３１ｘとにより支持されている。
【００３１】
このように構成することにより、倒伏した際に、家具の自重を天板面２ａ全体を用いて支持するようにできるので、倒伏した際に、起立位置における天板２の上端２ｘ及びベース３１の前端３１ｘのみが接地する従来の構成と比較して、天板２をフラップ動作可能に支持するフラップ装置１が受ける圧力を軽減でき、フラップ装置１が故障する不具合を起こりにくくできる効果を、収納位置において天板２を起立させてこのような家具を効率よく収納できる効果を損ねることなく実現できる。
【００３２】
また、天板２を前記第３の固定位置にロック可能にしているので、家具が倒伏する際に天板２が収納位置にロックされた状態が解除されても前記天板２が前記第３の固定位置にロックされるように構成でき、家具が倒伏する際に天板２の下端のみが接地してフラップ機構１が衝撃を受ける事態も起こりにくくすることができる。
【００３３】
特に、前記第３の固定位置において、前記天板２の天板面２ａと前記ベース３１の前端３１ｘとが略同一平面上に位置するので、家具が倒伏した状態では家具の自重は前記天板２の天板面２ａと前記ベース３１の前端３１ｘとにより支持されるようになる。従って、家具の自重の一部を前記ベース３１側に逃がすことができ、天板ブラケット４と固定ブラケット５との接合部に掛かる荷重を軽減でき、フラップ装置１の故障をさらに起こりにくくできる。
【００３４】
なお、本発明は以上に述べた実施の形態に限られない。
【００３５】
例えば、ロック装置は、天板を使用位置にロック可能であるとともに収納位置にロックすることも可能なものであれば上述した態様以外のものであってもよい。
【００３６】
また、第３の固定位置は天板面の略全体が接地可能であればベースは必ずしも接地可能にする必要はない。さらに、必ずしも第３の固定位置にロック可能に構成する必要はなく、家具が天板面が接地する方向に倒伏する際に天板の収納位置へのロックが解除され、ロックが解除されたまま天板面の略全体を接地可能に構成する態様も考えられる。これらのような構成によっても、家具が天板面が接地する方向に倒伏した状態で、家具の自重を天板面全体で支持することはできるので、フラップ装置の故障を起こりにくくできる効果は得られる。
【００３７】
さらに、図１２に示すように、天板２の下面の前端縁部及び後端縁部に左右方向に伸びる形状の横架材２１、２２を設けるとともに、前面を形成する幕板８を天板と連動可能に取り付けてもよい。図１２においては、前記幕板８の上端部を蝶番８１を介して前端側の横架材２１に、前記幕板８の下端部を互いに回転可能に接続した幕板ブラケット８２及び回転アーム８３を介して支柱３２にそれぞれ取り付けている。そして、天板２が実線に示す使用位置にロックされている状態では幕板８は実線に示す位置にあるとともに、天板２が想像線に示す収納位置にロックされている状態では幕板８は想像線に示す位置に後退する。
【００３８】
加えて、伝達機構は、上述した実施形態に示した以外のもの、例えば操作レバーの基端をロックアームの回転軸に直接連結したもの等を用いてもよい。
【００３９】
また、付勢手段も、ロックアームの回転軸にねじりコイルバネを設けて構成したもの等、上述した実施形態に示した以外のものを用いてもよい。
【００４０】
そして、係合部及び被係合部は上述した実施形態以外に述べた形状のものでもよい。例えば、被係合部の形状を、固定ブラケットにＶ字状の切欠を設けてロックアームと係合可能に構成してもよい。
【００４１】
さらに、天板を使用位置にロックする係合部と、該天板を収納位置にロックする係合部とは別体に構成してもよく、また、この天板を第３の固定位置にロックする機構を、天板を使用位置又は収納位置にロックする機構と別体に設けてもよい。
【００４２】
その他、本発明の趣旨を損ねない範囲で種々に変更してよい。
【００４３】
【発明の効果】
本発明は、前記ベースが支柱との接合部位よりも前方に伸びている家具本体にフラップ装置を介して天板を支持させている家具が、天板を起立させた収納位置にロックした状態で天板が接地する方向に倒伏する際に、天板を収納位置にロックした状態を解除し、天板面の略全体が接地可能な状態に変化可能にしている。従って、家具の自重を天板全体で吸収するようにでき、従って家具の自重を天板の上端及びベースの前端のみが受ける従来のものと比較して、倒伏した姿勢においてフラップ装置が天板を介して受ける圧力を軽減でき、このフラップ装置が故障する不具合を起こりにくくできる効果を、収納位置において天板を起立させ、このような家具を効率よく収納できる効果を損ねることなく実現できる。
【図面の簡単な説明】
【図１】本発明の一実施形態に係るロック装置を適用した会議テーブルの斜視図。
【図２】図１に係る会議テーブルの天板を使用位置にロックした状態の側面図。
【図３】図１に係る会議テーブルの天板を収納位置にロックした状態の側面図。
【図４】同実施形態のロック装置を示す縦断面図。
【図５】図４におけるＩＶ−ＩＶ線拡大断面図。
【図６】図４におけるＶ−Ｖ線に沿う拡大階段断面図。
【図７】図１に係る会議テーブルが前方に転倒した状態を示す側面図。
【図８】図４に対応した作用説明図。
【図９】図４に対応した作用説明図。
【図１０】図４に対応した作用説明図。
【図１１】図４に対応した作用説明図。
【図１２】本発明の他の実施態様を示す図。
【符号の説明】
１…フラップ装置
２…天板
２ａ…天板面
３…脚（家具本体）
３１…ベース
３１ｘ…ベースの前端
３１ｙ…支柱接合部位（ベースと支柱との接合部位）
３２…支柱
４…天板ブラケット
５…固定ブラケット
６…ロック装置
６０…伝達機構
６１…ロックアーム
６１ａ…突出部（係合部）
６１１…係合爪
６１ｘ…係合面
６２…第１の被係合部
６３…第２の被係合部
６４…第３の被係合部
６６…付勢手段（圧縮コイルバネ）
【図１】
2004121637.tif 000003
【図２】
2004121637.tif 000004
【図３】
2004121637.tif 000005
【図４】
2004121637.tif 000006
【図５】
2004121637.tif 000007
【図６】
2004121637.tif 000008
【図７】
2004121637.tif 000009
【図８】
2004121637.tif 000010
【図９】
2004121637.tif 000011
【図１０】
2004121637.tif 000012
【図１１】
2004121637.tif 000013
【図１２】
2004121637.tif 000014